(57)【要約】【課題】  通信部を安定して支持でき、かつ、既存のスマートメータに適用可能なスマートメータ用ホルダを提供する。【解決手段】  計量部１０１と通信部１１０とがケーブル１１１で接続されたスマートメータ１００の通信部１１０を、一時的に支持するためのスマートメータ用ホルダ１であって、計量部１０１の上部を把持して計量部１０１に取り付けられる取付部２と、取付部２に連結され、通信部１１０を保持する保持部３と、を備える。【選択図】  図１
2019128217.tif 000002
【特許請求の範囲】
【請求項１】
計量部と通信部とがケーブルで接続されたスマートメータの前記通信部を、一時的に支持するためのスマートメータ用ホルダであって、
前記計量部の上部を把持して前記計量部に取り付けられる取付部と、
前記取付部に連結され、前記通信部を保持する保持部と、
を備えることを特徴とするスマートメータ用ホルダ。
【請求項２】
前記取付部は、複数の大きさの前記計量部を把持可能となっている、
ことを特徴とする請求項１に記載のスマートメータ用ホルダ。
【請求項３】
前記保持部は、前記ケーブルまたは前記通信部を掛けるフックで構成されている、
ことを特徴とする請求項１または２のいずれか１項に記載のスマートメータ用ホルダ。
【請求項４】
前記保持部は、前記通信部を載せるテーブルで構成されている、
ことを特徴とする請求項１または２のいずれか１項に記載のスマートメータ用ホルダ。
【発明の詳細な説明】
【技術分野】
【０００１】
この発明は、作業時などにスマートメータの通信部を一時的に支持するスマートメータ用ホルダに関する。
【背景技術】
【０００２】
近年では、電力をデジタルで計量して通信によって計量値を送信するスマートメータが普及している。図６に示すように、スマートメータ１００は、表示部１０２を有する計量部１０１と通信機能を有する通信部１１０とから構成され、２つがケーブル１１１で接続されている。そして、計量部１０１の端子部１０３を覆うように通信部１１０が計量部１０１に装着され、その上からカバー１２０を取り付けて、計量部１０１のネジ穴１０４にネジ１２１を締め込んで組み付けられている。
【０００３】
また、スマートメータ１００を取り替えたり端子ネジを緩めて電線を外したりする際には、ケーブル１１１を外さないで作業を行う必要がある。このため、従来は、ケーブル１１１を付けたまま通信部１１０を外して、計量部１０１の表示部１０２側に通信部１１０をビニルテープで仮止めしていた。しかしながら、ビニルテープによる仮止めでは、通信部１１０の自重によってビニルテープが剥がれ、通信部１１０が落ちてしまうおそれがあった。
【０００４】
このため、ケーブルのコネクタを外すことなく作業を行うことができる、という電力量計（スマートメータ）が知られている（例えば、特許文献１参照。）。この電力量計は、計量装置（計量部）に取り付けるための計量装置取付部を通信装置（通信部）に有し、計量装置取付部に嵌合して通信装置を取り付けるための通信装置取付部を計量装置の表示部側に有するものである。
【先行技術文献】
【特許文献】
【０００５】
【特許文献１】特開２０１７−１４２１１２号公報
【発明の概要】
【発明が解決しようとする課題】
【０００６】
ところで、特許文献１の電力量計では、計量部の表示部側に通信装置取付部を有する必要があり、計量部自体の改良が必要である。つまり、既存・既製のスマートメータには適用することができない。
【０００７】
そこでこの発明は、通信部を安定して支持でき、かつ、既存のスマートメータに適用可能なスマートメータ用ホルダを提供することを目的とする。
【課題を解決するための手段】
【０００８】
上記課題を解決するために、請求項１の発明は、計量部と通信部とがケーブルで接続されたスマートメータの前記通信部を、一時的に支持するためのスマートメータ用ホルダであって、前記計量部の上部を把持して前記計量部に取り付けられる取付部と、前記取付部に連結され、前記通信部を保持する保持部と、を備えることを特徴とする。
【０００９】
請求項２の発明は、請求項１に記載のスマートメータ用ホルダにおいて、前記取付部は、複数の大きさの前記計量部を把持可能となっている、ことを特徴とする。
【００１０】
請求項３の発明は、請求項１または２に記載のスマートメータ用ホルダにおいて、前記保持部は、前記ケーブルまたは前記通信部を掛けるフックで構成されている、ことを特徴とする。
【００１１】
請求項４の発明は、請求項１または２に記載のスマートメータ用ホルダにおいて、前記保持部は、前記通信部を載せるテーブルで構成されている、ことを特徴とする。
【発明の効果】
【００１２】
請求項１の発明によれば、本スマートメータ用ホルダの取付部で計量部の上部を把持した状態で、保持部で通信部を保持するため、通信部を安定して支持することができる。しかも、スマートメータに追加の構成や加工などを要しないため、既存・既製のスマートメータにそのまま適用することができる。
【００１３】
請求項２の発明によれば、取付部が複数の大きさの計量部を把持可能なため、大きさが異なる複数のスマートメータに適用することができる。
【００１４】
請求項３の発明によれば、保持部であるフックにケーブルまたは通信部を掛けるだけで、容易かつ迅速に通信部を支持することができる。しかも、保持部がフックで構成されているだけの簡易な構成のため、製作費を軽減できるとともに、永く安定して使用することが可能となる。
【００１５】
請求項４の発明によれば、保持部であるテーブルに通信部を載せるだけで、容易かつ迅速に通信部を支持することができる。しかも、保持部がテーブルで構成されているだけの簡易な構成のため、製作費を軽減できるとともに、永く安定して使用することが可能となる。
【図面の簡単な説明】
【００１６】
【図１】この発明の実施の形態１に係るスマートメータ用ホルダを示す正面図である。
【図２】図１のスマートメータ用ホルダの取付部を伸ばした状態を示す正面図である。
【図３】図１のスマートメータ用ホルダをスマートメータに取り付けた状態を示す正面図である。
【図４】図３の状態から、スマートメータのケーブルをフックに掛けた状態を示す正面図である。
【図５】この発明の実施の形態２に係るスマートメータ用ホルダの使用状態を示す正面図である。
【図６】スマートメータの一例を示す分解斜視図である。
【発明を実施するための形態】
【００１７】
以下、この発明を図示の実施の形態に基づいて説明する。
【００１８】
（実施の形態１）
図１〜図４は、この実施の形態を示し、図１は、この実施の形態に係るスマートメータ用ホルダ１を示す正面図である。このスマートメータ用ホルダ１は、計量部１０１と通信部１１０とがケーブル１１１で接続されたスマートメータ１００の通信部１１０を、一時的に支持するためのホルダであり、主として、取付部２と、保持部３と、を備える。ここで、スマートメータ１００は、上記のような図６に示す構成となっている。
【００１９】
取付部２は、計量部１０１の上部を把持して計量部１０１に取り付けられるものであり、複数の大きさの計量部１０１を把持可能となっている。すなわち、Ｌ字状の第１のアングル部２１と、第１のアングル部２１の水平部２１ｂの端部に連結されて水平に延びる水平バー部２２と、Ｌ字状の第２のアングル部２３とを有し、第１のアングル部２１の垂直部２１ａと第２のアングル部２３の垂直部２３ａとが対向するように配設されている。
【００２０】
また、第２のアングル部２３の水平部２３ｂは中空で、水平バー部２２の反第１のアングル部２１側が進退動自在に挿入されている。さらに、第２のアングル部２３の水平部２３ｂ内にはバネ（押圧手段、図示せず）が配設され、水平バー部２２つまり第１のアングル部２１を常に第２のアングル部２３側に押圧している。このようなバネの押圧に抗して、図２に示すように、第１のアングル部２１を第２のアングル部２３から離すことで、第１のアングル部２１の垂直部２１ａと第２のアングル部２３の垂直部２３ａとの距離が変化する。
【００２１】
そして、計量部１０１の上部（表示部１０２側）の幅の大きさに応じて、第１のアングル部２１の垂直部２１ａと第２のアングル部２３の垂直部２３ａとの距離を調整し、手を放すとバネの押圧によって、図３に示すように、２つの垂直部２１ａで計量部１０１の上部が把持、挟持される。このように、大きさが異なる複数の計量部１０１の上部を把持して、計量部１０１に取り付けられるようになっている。ここで、図３に示すように、水平バー部２２を計量部１０１の上面に載せるように取付部２を取り付けることで、安定して取り付けられ、その結果、通信部１１０を安定して支持することができる。
【００２２】
保持部３は、取付部２に連結され、通信部１１０を保持するものであり、ケーブル１１１または通信部１１０を掛けるフック３２で構成されている。すなわち、第１のアングル部２１の垂直部２１ａの端部に連結されて垂直に延びる垂直バー部３１と、この垂直バー部３１の自由端部に配設されたＵ字状のフック３２と、を有する。
【００２３】
フック３２は、図４に示すように、ケーブル１１１を「の」の字状に掛けられるように形成されており、また、通信部１１０の凸部（例えば、図６に示すように、計量部１０１に装着するために通信部１１０に設けられた嵌合部１１２）も掛けられるようになっている。また、ケーブル１１１などを掛けて通信部１１０を保持した状態で、通信部１１０が端子部１０３を覆わずに、端子部１０３への作業がしやすいように、フック３２が形成、配設されている。さらに、フック３２の強度は、通信部１１０を安定して保持できるように設定されている。
【００２４】
このように、このスマートメータ用ホルダ１によれば、取付部２で計量部１０１の上部を把持した状態で、保持部３で通信部１１０を保持するため、通信部１１０を安定して支持することができる。しかも、スマートメータ１００に追加の構成や加工などを要しないため、既存・既製のスマートメータ１００にそのまま適用することができる。
【００２５】
また、取付部２が複数の大きさの計量部１０１を把持可能なため、大きさが異なる複数のスマートメータ１００に適用することができる。
【００２６】
さらに、保持部３のフック３２にケーブル１１１や通信部１１０を掛けるだけで、容易かつ迅速に通信部１１０を支持することができる。しかも、保持部３がフック３２で構成されているだけの簡易な構成のため、製作費を軽減できるとともに、永く安定して使用することが可能となる。
【００２７】
（実施の形態２）
図５は、この実施の形態に係るスマートメータ用ホルダ１の使用状態を示す正面図である。この実施の形態では、保持部３が、通信部１１０を載せるテーブル３３で構成されている点で実施の形態１と構成が異なり、実施の形態１と同等の構成については、同一符号を付することでその説明を省略する。
【００２８】
テーブル３３は、板状で、垂直バー部３１の自由端部に反スマートメータ１００側に水平に延びるように配設されている。また、通信部１１０を載せる主板の周縁に柵部が設けられ、通信部１１０が主板から落ちにくいようになっている。さらに、テーブル３３の大きさ、強度は、通信部１１０を安定して保持できるように設定されている。
【００２９】
このような実施の形態によれば、保持部３のテーブル３３に通信部１１０を載せるだけで、容易かつ迅速に通信部１１０を支持することができる。しかも、保持部３がテーブル３３で構成されているだけの簡易な構成のため、製作費を軽減できるとともに、永く安定して使用することが可能となる。
【００３０】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態１では、取付部２と保持部３が一体となっているが、取付部２と保持部３を着脱自在にして、スマートメータ１００の設置場所や作業環境などに応じた保持部３を取付部２に取り付けられるようにしてもよい。
【００３１】
また、保持部３は、上記の実施の形態１、２のものに限らず、例えば、通信部１１０を把持、挟持するものでもよい。さらに、保持部３の垂直バー部３１を伸縮自在にして、フック３２やテーブル３３の高さを変えられるようにしてもよい。また、実施の形態２において、テーブル３３の向きを変えられるようにしてもよい。
【符号の説明】
【００３２】
１        スマートメータ用ホルダ
２        取付部
２１      第１のアングル部
２２      水平バー部
２３      第２のアングル部
３        保持部
３１      垂直バー部
３２      フック
３３      テーブル
１００    スマートメータ
１０１    計量部
１１０    通信部
１１１    ケーブル
【図１】
2019128217.tif 000003
【図２】
2019128217.tif 000004
【図３】
2019128217.tif 000005
【図４】
2019128217.tif 000006
【図５】
2019128217.tif 000007
【図６】
2019128217.tif 000008